(57)【要約】      （修正有）【課題】耳部とマスクの耳掛けの発生する摩擦を解消し、使用者が長時間マスクを着用することによる不適を減らすマスクの耳掛けの固定装置の提供。【解決手段】マスクの耳掛けの固定装置はフックを具えてマスクの耳掛けを人体頭部後方に固定でき、マスクを使用者の耳部に掛ける必要を無くし、これによりマスクを耳部に掛けることによる摩擦を減らし、使用時の快適度を増す。【選択図】図１
0003108360.tif 000002
【実用新案登録請求の範囲】
【請求項１】
マスクの耳掛けの固定装置において、該マスクの耳掛けの固定装置はマスクの耳掛けを人体頭部後方に固定するのに用いられ、該マスクの耳掛けの固定装置は固定片を具え、該固定片が少なくとも一つのフックを具え、該フックが引掛け方式で耳掛けを該固定片に係止するのに用いられることを特徴とする、マスクの耳掛けの固定装置。
【請求項２】
請求項１記載のマスクの耳掛けの固定装置において、固定片の長さが人体の耳と頭部の接続部分より大きく設けられたことを特徴とする、マスクの耳掛けの固定装置。
【請求項３】
請求項１記載のマスクの耳掛けの固定装置において、固定片が中空構造とされたことを特徴とする、マスクの耳掛けの固定装置。
【請求項４】
マスクの耳掛けの固定装置において、該マスクの耳掛けの固定装置はマスクの耳掛けを人体頭部後方に固定するのに用いられ、該マスクの耳掛けの固定装置は、左固定片、右固定片、少なくとも一つの弾性体を具え、
該左固定片は少なくとも一つのフックを具え、このフックがマスクの耳掛けを左固定片に係止し、
該右固定片は少なくとも一つのフックを具え、このフックがマスクの耳掛けを右固定片に係止し、
該弾性体は左固定片と右固定片を接続することを特徴とする、マスクの耳掛けの固定装置。
【請求項５】
請求項４記載のマスクの耳掛けの固定装置において、左固定片の長さが人体の耳と頭部の接続部分より大きく設けられたことを特徴とする、マスクの耳掛けの固定装置。
【請求項６】
請求項４記載のマスクの耳掛けの固定装置において、右固定片の長さが人体の耳と頭部の接続部分より大きく設けられたことを特徴とする、マスクの耳掛けの固定装置。
【請求項７】
請求項４記載のマスクの耳掛けの固定装置において、弾性体が弾性ゴムで形成されたことを特徴とする、マスクの耳掛けの固定装置。
【請求項８】
固定片を具えたマスクにおいて、該マスクはマスク本体と二つの耳掛けを具え、その特徴は、いずれか一方の耳掛けに固定片が接続され、該固定片に少なくとも一つのフックが設置され、該フックが耳掛けを該固定片に係止し、並びに人体頭部の後方に固定するのに用いられることを特徴とする、マスクの耳掛けの固定装置。
【請求項９】
請求項８記載の固定片を具えたマスクにおいて、固定片の長さが人体の耳と頭部の接続部分より大きく設けられたことを特徴とする、固定片を具えたマスク。
【請求項１０】
マスクの耳掛けの固定装置において、該マスクの耳掛けの固定装置はマスクの耳掛けを人体頭部後方に固定するのに用いられ、該マスクの耳掛けの固定装置は固定片を具え、該固定片に複数の切欠きが設けられ、該切欠きが引掛け方式で耳掛けを該固定片に係止するのに用いられることを特徴とする、マスクの耳掛けの固定装置。
【請求項１１】
請求項１０記載のマスクの耳掛けの固定装置において、切欠きが固定片の外縁に形成されたことを特徴とする、マスクの耳掛けの固定装置。
【請求項１２】
請求項１０記載のマスクの耳掛けの固定装置において、固定片の中央が中空構造とされ、切欠きが固定片の中空構造内縁に形成されたことを特徴とする、マスクの耳掛けの固定装置。
【考案の詳細な説明】
【技術分野】
【０００１】
本考案はマスクの耳掛けの固定装置に係り、特に耳部とマスクの耳掛けの摩擦を解決するマスクの耳掛けの固定装置に関する。
【背景技術】
【０００２】
医学の領域にあって、防護観念は極めて重要な観念と見なされ、なぜなら人類の生活空間内には各種の肉眼では見えない生物、微生物（例えばダニなど）、細菌からウイルスまで、人体の健康を損なうもので満ちているが、肉眼では見えないため、完全な防護によってしか感染の機会を減らすことはできないためである。ゆえに医療器材にも多くの防護器材、例えば手袋、マスクから防護服まで多くの種類があり、いずれも完全防護を達成するための医療器材である。
【０００３】
医療人員は更に防護の観念に注意を払う必要があり、なぜならその作業性質は長時間患者に接触し、ゆえに感染の機会も大幅に増加するためである。ゆえに医療人員は作業の時間に、感染の確率を減らすため、全過程においてマスクにより口鼻を保護する必要がある。医療人員以外にも、高い汚染環境で働く従業員もまた長期にマスクを着用して空気中の粉塵、微粒子などの物体を回避する必要がある。
【０００４】
近年出現したＳＡＲＳ（Ｓｅｖｅｒｅ  Ａｃｕｔｅ  Ｒｅｓｐｉｒａｔｏｒｙ  Ｓｙｎｄｒｏｍｅ）はその伝染の経路が患者の口沫が空気中に散逸するか接触することで伝播され、ゆえにマスクにより感染の確率を減らす必要ある。また、環境汚染による空気品質の不良に対してもマスクの使用により、粉塵、微粒子の侵害を防止する必要がある。ゆえにマスクは生活中で不可欠の防護用品となっている。
【考案の開示】
【考案が解決しようとする課題】
【０００５】
生活中でマスクを使用する時間が多くなるほど、マスクの耳掛けが長時間耳朶と頭部の接続部分を締めつけて、使用者に頭痛、目眩などの副作用をもたらす。周知の技術は装着の方式を改変するだけで耳掛け式マスクに対しては改良が行われていない。
【０００６】
このことから、本考案は一種のマスクの耳掛けの固定装置を提供するものであり、その目的は、耳部とマスクの耳掛けの発生する摩擦を解消し、使用者が長時間マスクを着用することによる不適を減らすことにある。このマスクの耳掛けの固定装置は固定片とフックを具え、マスクの耳掛けが固定片に組み合わされたフックにより人体頭部後方に固定され、マスクを使用者の耳部に掛ける必要を無くし、使用時の快適度を増す。
【課題を解決するための手段】
【０００７】
請求項１の考案は、マスクの耳掛けの固定装置において、該マスクの耳掛けの固定装置はマスクの耳掛けを人体頭部後方に固定するのに用いられ、該マスクの耳掛けの固定装置は固定片を具え、該固定片が少なくとも一つのフックを具え、該フックが引掛け方式で耳掛けを該固定片に係止するのに用いられることを特徴とする、マスクの耳掛けの固定装置としている。
請求項２の考案は、請求項１記載のマスクの耳掛けの固定装置において、固定片の長さが人体の耳と頭部の接続部分より大きく設けられたことを特徴とする、マスクの耳掛けの固定装置としている。
請求項３の考案は、請求項１記載のマスクの耳掛けの固定装置において、固定片が中空構造とされたことを特徴とする、マスクの耳掛けの固定装置としている。
請求項４の考案は、マスクの耳掛けの固定装置において、該マスクの耳掛けの固定装置はマスクの耳掛けを人体頭部後方に固定するのに用いられ、該マスクの耳掛けの固定装置は、左固定片、右固定片、少なくとも一つの弾性体を具え、
該左固定片は少なくとも一つのフックを具え、このフックがマスクの耳掛けを左固定片に係止し、
該右固定片は少なくとも一つのフックを具え、このフックがマスクの耳掛けを右固定片に係止し、
該弾性体は左固定片と右固定片を接続することを特徴とする、マスクの耳掛けの固定装置としている。
請求項５の考案は、請求項４記載のマスクの耳掛けの固定装置において、左固定片の長さが人体の耳と頭部の接続部分より大きく設けられたことを特徴とする、マスクの耳掛けの固定装置としている。
請求項６の考案は、請求項４記載のマスクの耳掛けの固定装置において、右固定片の長さが人体の耳と頭部の接続部分より大きく設けられたことを特徴とする、マスクの耳掛けの固定装置としている。
請求項７の考案は、請求項４記載のマスクの耳掛けの固定装置において、弾性体が弾性ゴムで形成されたことを特徴とする、マスクの耳掛けの固定装置としている。
請求項８の考案は、固定片を具えたマスクにおいて、該マスクはマスク本体と二つの耳掛けを具え、その特徴は、いずれか一方の耳掛けに固定片が接続され、該固定片に少なくとも一つのフックが設置され、該フックが耳掛けを該固定片に係止し、並びに人体頭部の後方に固定するのに用いられることを特徴とする、マスクの耳掛けの固定装置としている。
請求項９の考案は、請求項８記載の固定片を具えたマスクにおいて、固定片の長さが人体の耳と頭部の接続部分より大きく設けられたことを特徴とする、固定片を具えたマスクとしている。
請求項１０の考案は、マスクの耳掛けの固定装置において、該マスクの耳掛けの固定装置はマスクの耳掛けを人体頭部後方に固定するのに用いられ、該マスクの耳掛けの固定装置は固定片を具え、該固定片に複数の切欠きが設けられ、該切欠きが引掛け方式で耳掛けを該固定片に係止するのに用いられることを特徴とする、マスクの耳掛けの固定装置としている。
請求項１１の考案は、請求項１０記載のマスクの耳掛けの固定装置において、切欠きが固定片の外縁に形成されたことを特徴とする、マスクの耳掛けの固定装置としている。
請求項１２の考案は、請求項１０記載のマスクの耳掛けの固定装置において、固定片の中央が中空構造とされ、切欠きが固定片の中空構造内縁に形成されたことを特徴とする、マスクの耳掛けの固定装置としている。
【考案の効果】
【０００８】
本考案の提供するマスクの耳掛けの固定装置は、フックを具えてマスクの耳掛けを人体頭部後方に固定でき、マスクを使用者の耳部に掛ける必要を無くし、これによりマスクを耳部に掛けることによる摩擦を減らし、使用時の快適度を増す。
【考案を実施するための最良の形態】
【０００９】
本考案のマスクの耳掛けの固定装置は、マスクの耳掛けと耳部の摩擦を減らす。図１は本考案のマスクの耳掛けの固定装置１の立体図（１）である。
【００１０】
本考案のマスクの耳掛けの固定装置はその主体が固定片１０とされ、この固定片１０は長楕円平面とされ、その中央に中空構造が設けられ、固定片１０に少なくとも一つのフック１１Ａが設けられ、このフック１１Ａは尖錐平面とされ、マスク２０の耳掛け２１が固定片１０に係止される。図２は本考案のマスクの耳掛けの固定装置の説明図（１）である。
【００１１】
続いて本考案のマスクの耳掛けの固定装置の実施方式について更に詳細に説明する。図３を参照されたい。図３は本考案のマスクの耳掛けの固定装置の実施例（１）図である。
【００１２】
使用者がマスク２０を着用する時は、ただ耳掛け２１に耳部を通過させて、直接本考案の固定片１０のフック１１Ａに掛ければよく、周知の方式のようにマスク２０の耳掛け２１を直接使用者の耳部に掛ける必要はなく、ゆえに耳部と耳掛け２１の摩擦を防止でき、且つ固定片１０の長さが人体の耳と頭部の接続部分より大きく設計されることで、大幅に耳掛け２１と耳部の摩擦の機会を減少できる。
【００１３】
本考案は上述の実施形態以外に、更にその他の実施方式を有する。図４を参照されたい。これは本考案のマスクの耳掛けの固定装置の立体図（２）であり、使用者が本考案のマスクの耳掛けの固定装置を運用しやすいように、固定片１０中のフック１１Ｂが単一の長方形平面に設計され、この長方形平面のフック１１Ｂはマスクの耳掛けを係止するのに供される。
【００１４】
各使用者の頭部のサイズは異なるため、本考案は更にその他の実施態様を提供する。図５は本考案のマスクの耳掛けの固定装置の立体図（３）である。
【００１５】
このマスクの耳掛けの固定装置は、左固定片１０Ａと右固定片１０Ｂ及び弾性体１２を具え、左固定片１０Ａと右固定片１０Ｂに尖錐平面形態のフック１１Ａが設置され、弾性体１２はこの左固定片１０Ａと右固定片１０Ｂを接続するのに用いられ、それに完全な固定片の機能を具備させる。使用者がマスクを着用する時、耳掛けがきつ過ぎる時は、弾性体１２が適度な空間延伸可能であり、使用者に快適さを提供する。上述の機能を達成するため、弾性体は弾性ゴムにより形成され、この実施形態のフック１１Ｂもまた長方形平面に形成可能で、その機能はフック１１Ａと同じであり、これは図６の本考案のマスクの耳掛けの固定装置の立体図（４）を参照されたい。
【００１６】
上述の実施例のほか、本考案はフック１１Ｃを固定片１０の四つの端点に設置可能で、このような設計により左辺（或いは右辺）のフック１１Ｃの上下距離が最大とされ、耳掛け２１が完全に耳部から離れ、マスクの耳掛けと耳部の摩擦の機会を更に減らし、これは図７の本考案のマスクの耳掛けの固定装置の立体図（５）に示されるとおりである。
【００１７】
同じ創作精神の下で、本考案はまた直接マスク２０の耳掛け２１に接続可能であり、これについては図８の本考案のマスクの耳掛けの固定装置の説明図（２）を参照されたい。その特徴は、この固定装置の１側がマスク２０の任意の耳掛け２１と組み合わされて一体とされ、もう１側に少なくとも一つのフック１１Ａが設けられたことにある。このフック１１Ａはもう一つの耳掛け２１を固定片１０に係止し、並びに人体頭部後方に固定するのに用いられる。
【００１８】
各人の頭部サイズは一致せず、もし単一サイズの固定装置であれば不適なところを有しうるため、本考案は同一の創作精神の下で、図９の本考案のマスクの耳掛けの固定装置の立体図（５）に示される形態を提供している。
【００１９】
この実施態様の固定装置はその主体が固定片１０とされ、この固定片１０は長方形平面とされ、その中央に中空構造が設けられ、位置の固定に便利であり、ただし固定片１０の外縁には複数の切欠き１３が切削形成され、この切欠き１３がマスク２０の耳掛け２１を掛けるのに使用され、耳掛け２１が切欠き１３中にはめ込まれて固定される。当然、この切欠き１３は固定片１０の中空構造の内縁に設置可能であり、これは図１０の本考案のマスクの耳掛けの固定装置の立体図（６）に示されるとおりである。
【００２０】
最後に一つの実施例を挙げて前述のマスクの耳掛けの固定装置の長所を説明する。図１１を参照されたい。これは本考案のマスクの耳掛けの固定装置の実施例（２）図である。
【００２１】
この実施態様は複数の切欠き１３が設けられ、ゆえに使用者は自由に切欠きを選択して耳掛け２１を掛けることができ、これにより微調整の効果を有するものとされ、例えば、もし耳掛け２１が最外側（図１１）に掛けられれば、最大の夾角距離が発生し、耳掛け２１が耳朶を摩擦せず、これにより耳掛け２１の引っ張り力が頭部を締めつけない。このほか、もし頭部が比較的小さいか或いは習慣的に耳掛けをきつく掛ける使用者の場合は、耳掛け２１を中間の切欠き１３を選択して掛けると、使用者は直接固定片１０を垂直方向から水平方向に回して使用でき、これは図１２の本考案のマスクの耳掛けの固定装置の実施例（３）図であり、こうして耳掛け２１の引っ張り力を適当に増減して使用者の快適感を増すことができる。
【００２２】
以上は本考案の好ましい実施例の説明であって、本考案の実施範囲を限定するものではなく、本考案に基づきなしうる細部の修飾或いは改変は、いずれも本考案の請求範囲に属するものとする。
【図面の簡単な説明】
【００２３】
【図１】本考案のマスクの耳掛けの固定装置の立体図（１）である。
【図２】本考案のマスクの耳掛けの固定装置の説明図（１）である。
【図３】本考案のマスクの耳掛けの固定装置の実施例（１）図である。
【図４】本考案のマスクの耳掛けの固定装置の立体図（２）である。
【図５】本考案のマスクの耳掛けの固定装置の立体図（３）である。
【図６】本考案のマスクの耳掛けの固定装置の立体図（４）である。
【図７】本考案のマスクの耳掛けの固定装置の立体図（５）である。
【図８】本考案のマスクの耳掛けの固定装置の説明図（２）である。
【図９】本考案のマスクの耳掛けの固定装置の立体図（５）である。
【図１０】本考案のマスクの耳掛けの固定装置の立体図（６）である。
【図１１】本考案のマスクの耳掛けの固定装置の実施例（２）図である。
【図１２】本考案のマスクの耳掛けの固定装置の実施例（３）図である。
【符号の説明】
【００２４】
１０  固定片
１０Ａ  左固定片
１０Ｂ  右固定片
１１（Ａ〜Ｃ）  フック
１２  弾性体
１３  切欠き
２０  マスク
２１  耳掛け
【図１】
0003108360.tif 000003
【図２】
0003108360.tif 000004
【図３】
0003108360.tif 000005
【図４】
0003108360.tif 000006
【図５】
0003108360.tif 000007
【図６】
0003108360.tif 000008
【図７】
0003108360.tif 000009
【図８】
0003108360.tif 000010
【図９】
0003108360.tif 000011
【図１０】
0003108360.tif 000012
【図１１】
0003108360.tif 000013
【図１２】
0003108360.tif 000014